【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
記録層を少なくとも１つ有する記憶媒体を、当該記憶媒体の記録面に対して垂直方向に走査する走査期間を設定する走査期間設定手段と、
上記走査期間における上記走査により得られる再生出力の振幅に基づいて、再生出力レベルを順次検出するレベル検出手段と、
上記レベル検出手段が検出した一つの再生出力レベルを、第１の保存レベルとして記憶手段に記憶させる記憶制御手段と、
上記レベル検出手段が次の新たな再生出力レベルを検出する度に、当該新たな再生出力レベルと上記第１の保存レベルとのうち一方の値に対する他方の値の比率を算出する比率算出手段と、
上記比率算出手段が算出した比率と所定の比率とを比較する第１比較手段と、
第１比較手段が比較した上記比率が上記所定の比率より大きい場合、上記他方の値と所定レベルとを比較する第２比較手段と、
上記第２比較手段が比較した上記他方の値が上記所定レベルよりも大きい場合、上記他方の値が上記第１の保存レベルとして記憶されるように上記記憶手段を適宜更新する記憶更新手段とを有する
ことを特徴とする種別判別装置。
【請求項２】
請求項１に記載の種別判別装置であって、
上記比率算出手段が算出した上記比率が上記第１の保存レベルに対する上記新たな再生出力レベルの比率であり、且つ上記第１比較手段が比較した上記比率が上記所定の比率より小さい場合、上記新たな再生出力レベルの値と上記所定レベルとを比較する第３比較手段と、
上記第３比較手段が比較した上記新たな再生出力レベルが上記所定レベルよりも大きい場合、上記新たな再生出力レベルを、第２の保存レベルとして上記記憶手段に記憶させる第２記憶制御手段とを更に有する
ことを特徴とする種別判別装置。
【請求項３】
請求項２に記載の種別判別装置であって、
上記比率算出手段は、上記第２記憶制御手段が上記新たな再生出力レベルを上記第２の保存レベルとして上記記憶手段に記憶させたとき、上記比率を新たに算出しない
ことを特徴とする種別判別装置。
【請求項４】
請求項１から請求項３のうち、いずれか一項記載の種別判別装置であって、
上記一方の値は、上記新たな再生出力レベルの値であり、上記他方の値は、上記第１の保存レベルの値であり、
上記記憶更新手段は、上記第２比較手段が比較した上記第１の保存レベルの値が上記所定レベルよりも大きい場合、上記記憶手段に記憶されている上記第１の保存レベルの値を更新しない
ことを特徴とする種別判別装置。
【請求項５】
請求項１から請求項３のうち、いずれか一項記載の種別判別装置であって、
上記一方の値は、上記第１の保存レベルの値であり、上記他方の値は、上記新たな再生出力レベルの値であり、
上記記憶更新手段は、上記第２比較手段が比較した上記新たな再生出力レベルの値が上記所定レベルよりも大きい場合、上記記憶手段に記憶されている上記第１の保存レベルの値を上記新たな再生出力レベルの値に更新する
ことを特徴とする種別判別装置。
【請求項６】
記録層を少なくとも１つ有する記憶媒体を、当該記憶媒体の記録面に対して垂直方向に走査する走査期間を設定する走査期間設定手段と、
上記走査期間における上記走査により得られる再生出力の振幅に基づいて、再生出力レベルを順次検出するレベル検出手段と、
上記レベル検出手段が検出した一つの再生出力レベルを第１の保存レベルとして記憶手段に記憶させる記憶制御手段と、
上記レベル検出手段が次の新たな再生出力レベルを検出したとき、当該新たな再生出力レベルと上記記憶手段に記憶された第１の保存レベルとを比較し、これらが少なくとも第１の条件又は第２の条件を満たすか否かを判断する比較判断手段と、
上記比較判断手段が上記第１の条件を満たすと判断した場合、上記記憶手段に記憶された第１の保存レベルの値を当該新たな再生出力レベルの値に更新する記憶更新手段とを備え、
上記比較判断手段は、上記第１の条件又は第２の条件を満たすと判断した場合、上記レベル検出手段が次の新たな再生出力レベルを検出する度に、当該新たな再生出力レベルと上記記憶手段に記憶された第１の保存レベルとを比較し、これらが少なくとも第１の条件又は第２の条件を満たすか否かを判断する処理を繰り返し実行する
ことを特徴とする種別判別装置。
【請求項７】
請求項６に記載の種別判別装置であって、
上記比較判断手段は、上記新たな再生出力レベルと上記第１の保存レベルとが第３の条件を満たすか否かを判断し、
上記比較判断手段が上記第３の条件を満たすと判断した場合、上記新たな再生出力レベルを第２の保存レベルとして上記記憶手段に記憶させる第２記憶制御手段を更に有する
ことを特徴とする種別判別装置。
【請求項８】
請求項６又は請求項７に記載の種別判別装置であって、
上記第１の条件は、上記第１の保存レベルの値に対する上記新たな再生出力レベルの値の比率が所定の比率よりも大きく且つ当該新たな再生出力レベルの値が所定レベルよりも大きい
ことを特徴とする種別判別装置。
【請求項９】
請求項６から請求項８のうち、いずれか一項記載の種別判別装置であって、
上記第２の条件は、上記新たな再生出力レベルの値に対する上記第１の保存レベルの値の比率が上記所定の比率よりも大きく且つ当該第１の保存レベルの値が上記所定レベルよりも大きい
ことを特徴とする種別判別装置。
【請求項１０】
請求項６から請求項９のうち、いずれか一項記載の種別判別装置であって、
上記第３の条件は、上記第１の保存レベルの値に対する上記新たな再生出力レベルの値の比率が上記所定の比率よりも小さく且つ当該新たな再生出力レベルの値及び上記第１の保存レベルの値が上記所定レベルよりも大きい
ことを特徴とする種別判別装置。
【請求項１１】
請求項１から請求項１０のうち、いずれか一項記載の種別判別装置であって、
上記記憶手段に記憶された保存レベルの数を上記記録層の数であると判定する記録層数判定手段を更に有する
ことを特徴とする種別判別装置。
【請求項１２】
請求項１から請求項１１のうち、いずれか一項記載の種別判別装置であって、
上記レベル検出手段は、上記再生出力のピークレベルからボトムレベルまでの差分を上記再生出力レベルとして検出する
ことを特徴とする種別判別装置。
【請求項１３】
請求項１から請求項１２のうち、いずれか一項記載の種別判別装置であって、
上記再生出力は、フォーカスエラー信号である
ことを特徴とする種別判別装置。
【請求項１４】
記録層を少なくとも１つ有する記憶媒体を、当該記憶媒体の記録面に対して垂直方向に走査する走査期間を設定する設定ステップと、
上記走査期間における上記走査により得られる再生出力の振幅に基づいて、再生出力レベルを順次検出するレベル検出ステップと、
上記レベル検出ステップで検出した一つの再生出力レベルを、第１の保存レベルとして記憶手段に記憶させる記憶ステップと、
上記レベル検出ステップで次の新たな再生出力レベルを検出する度に、当該新たな再生出力レベルと上記第１の保存レベルとのうち一方の値に対する他方の値の比率を算出する比率算出ステップと、
上記比率算出ステップで算出した比率と所定の比率とを比較する第１比較ステップと、  第１比較ステップで比較した上記比率が上記所定の比率より大きい場合、上記他方の値と所定レベルとを比較する第２比較ステップと、
上記第２比較ステップで比較した上記他方の値が上記所定レベルよりも大きい場合、上記他方の値が上記第１の保存レベルとして記憶されるように上記記憶手段を適宜更新する記憶更新ステップと
をコンピュータに実行させるための種別判別プログラム。
【請求項１５】
記録層を少なくとも１つ有する記憶媒体を、当該記憶媒体の記録面に対して垂直方向に走査する走査期間を設定する設定ステップと、
上記走査期間における上記走査により得られる再生出力の振幅に基づいて、再生出力レベルを順次検出するレベル検出ステップと、
上記レベル検出ステップで検出した一つの再生出力レベルを第１の保存レベルとして記憶手段に記憶させる記憶ステップと、
上記レベル検出ステップで次の新たな再生出力レベルを検出したとき、当該新たな再生出力レベルと上記記憶手段に記憶された第１の保存レベルとを比較し、これらが少なくとも第１の条件又は第２の条件を満たすか否かを判断する比較判断ステップと、
上記比較判断ステップで上記第１の条件を満たすと判断した場合、上記記憶手段に記憶された第１の保存レベルの値を当該新たな再生出力レベルの値に更新する記憶更新ステップと、
上記比較判断ステップで上記第１の条件又は第２の条件を満たすと判断した場合、上記比較判断ステップを繰り返して実行する繰り返し実行ステップと
をコンピュータに実行させるための種別判別プログラム。
【請求項１６】
請求項１４又は請求項１５に記載の種別判別プログラムが記憶されたコンピュータ読み取り可能な記憶媒体。
【請求項１７】
記録層を少なくとも１つ有する記憶媒体を、当該記憶媒体の記録面に対して垂直方向に走査する走査期間を設定する設定ステップと、
上記走査期間における上記走査により得られる再生出力の振幅に基づいて、再生出力レベルを順次検出するレベル検出ステップと、
上記レベル検出ステップで検出した一つの再生出力レベルを、第１の保存レベルとして記憶手段に記憶させる記憶ステップと、
上記レベル検出ステップで次の新たな再生出力レベルを検出する度に、当該新たな再生出力レベルと上記第１の保存レベルとのうち一方の値に対する他方の値の比率を算出する比率算出ステップと、
上記比率算出ステップで算出した比率と所定の比率とを比較する第１比較ステップと、  第１比較ステップで比較した上記比率が上記所定の比率より大きい場合、上記他方の値と所定レベルとを比較する第２比較ステップと、
上記第２比較ステップで比較した上記他方の値が上記所定レベルよりも大きい場合、上記他方の値が上記第１の保存レベルとして記憶されるように上記記憶手段を適宜更新する記憶更新ステップとを有する
ことを特徴とする種別判別方法。
【請求項１８】
記録層を少なくとも１つ有する記憶媒体を、当該記憶媒体の記録面に対して垂直方向に走査する走査期間を設定する設定ステップと、
上記走査期間における上記走査により得られる再生出力の振幅に基づいて、再生出力レベルを順次検出するレベル検出ステップと、
上記レベル検出ステップで検出した一つの再生出力レベルを第１の保存レベルとして記憶手段に記憶させる記憶ステップと、
上記レベル検出ステップで次の新たな再生出力レベルを検出したとき、当該新たな再生出力レベルと上記記憶手段に記憶された第１の保存レベルとを比較し、これらが少なくとも第１の条件又は第２の条件を満たすか否かを判断する比較判断ステップと、
上記比較判断ステップで上記第１の条件を満たすと判断した場合、上記記憶手段に記憶された第１の保存レベルの値を当該新たな再生出力レベルの値に更新する記憶更新ステップと、
上記比較判断ステップで上記第１の条件又は第２の条件を満たすと判断した場合、上記比較判断ステップを繰り返して実行する繰り返し実行ステップとを有する
ことを特徴とする種別判別方法。